(57)【要約】      （修正有）【課題】端末用プログラムを変更することなく、モバイル決済トランザクション情報とＰＯＳレジスタとの間における情報変換および伝達を速やかに両立するモバイル決済情報処理装置およびモバイル決済方法ならびにシステムを提供する。【解決手段】モバイル決済情報処理装置は、データ受信装置、データ変換装置および送信装置を備える。データ受信装置は、モバイル決済情報を受信して当該決済情報をデータ変換装置に送信する。データ変換装置は、モバイル決済情報を従来の磁気ストライプカード情報に変換して、デジタル信号方式で送信装置に送信する。送信装置は、デジタル信号を磁気パルス信号に変換して送信する。【選択図】図１
2018124995.tif 000002
【特許請求の範囲】
【請求項１】
データ受信装置、データ変換装置および送信装置を備えるモバイル決済情報処理装置であって、前記データ受信装置は、モバイル決済情報を受信して当該モバイル決済情報をデータ変換装置に送信し、前記データ変換装置は、前記モバイル決済情報をデジタル信号方式で送信装置に送信し、前記送信装置は、前記デジタル信号を磁気パルスに変換して送信することを特徴とするモバイル決済情報処理装置。
【請求項２】
前記データ変換装置は、前記モバイル決済情報を磁気ストライプカード情報に変換し、デジタル信号の形式で送信装置に送信することを特徴とする請求項１に記載のモバイル決済情報処理装置。
【請求項３】
前記データ受信装置はデータインタフェースを備えて、データ取得装置により取得され送信されたモバイル決済情報を受信することを特徴とする請求項１に記載のモバイル決済情報処理装置。
【請求項４】
前記データ受信装置はさらにデータ取得装置を備え、当該データ取得装置は、読込装置、音響波受信装置、カメラ、赤外信号受信器のうちの１以上の装置を備えて、モバイル決済情報を取得し、データインタフェースを介してデータ変換装置と接続または通信し、当該データ取得装置はデータ受信装置に集積されるかまたは独立ユニットとすることを特徴とする請求項１〜３のいずれか１項に記載のモバイル決済情報処理装置。
【請求項５】
データ変換装置は変換制御モジュールを備え、前記変換制御モジュールは、データ受信装置が受信したモバイル決済情報をトラックフォーマットデータに変換し、当該データをデジタル信号で送信装置に送信することを特徴とする請求項１に記載のモバイル決済情報処理装置。
【請求項６】
前記送信装置は駆動回路および送信コイルを備え、前記駆動回路は、受信したデジタル信号により駆動電流を変調および増幅し、送信コイルは、駆動回路が変調および増幅した電流の作用下で磁気信号を生成し、当該磁気信号を送信することを特徴とする請求項１〜３のいずれか１項に記載のモバイル決済情報処理装置。
【請求項７】
前記モバイル決済情報処理装置がさらに信号処理装置を備え、当該信号処理装置は、復調装置およびセキュアチップを備えることを特徴とする請求項１または５に記載のモバイル決済情報処理装置。
【請求項８】
請求項１〜７のいずれか１項に記載のモバイル決済情報処理装置およびＰＯＳレジスタを備え、前記ＰＯＳレジスタは、モバイル決済情報処理装置が送信する磁気信号を受信することを特徴とするモバイル決済システム。
【請求項９】
さらに移動端末、決済代行プラットフォームおよびアクワイアラを備え、
移動端末上の決済代行プラットフォーム用アプリケーションモジュールが支払証明書を生成し、
モバイル決済情報処理装置が、移動端末から得た支払証明書中のモバイル決済データを読み取り、前記決済データを磁気信号に変換して送信し、
ＰＯＳレジスタが磁気信号を受信し、トランザクション情報を生成してアクワイアラに送信し、
アクワイアラは当該トランザクション情報を次へ送って最後に対応する決済代行プラットフォームに送信し、
決済代行プラットフォームがトランザクション情報を受信してトランザクションを処理
し、処理結果メッセージを返信する
ことを特徴とする請求項８に記載のモバイル決済システム。
【請求項１０】
前記ＰＯＳレジスタが、受信した決済データと注文書データとを合わせてトランザクション情報を生成してアクワイアラに送信することを特徴とする請求項９に記載のモバイル決済システム。
【請求項１１】
移動端末上の決済代行プラットフォーム用アプリケーションモジュールが支払証明書を生成するステップ、
モバイル決済情報処理装置が、移動端末から得た支払証明書中のモバイル決済データを読み取り、前記決済データを磁気信号に変換して送信するステップ、
ＰＯＳレジスタが磁気信号を受信し、トランザクション情報を生成してアクワイアラに送信するステップ、
アクワイアラが当該トランザクション情報を次へ送って最後に対応する決済代行プラットフォームに送信するステップ、
決済代行プラットフォームがトランザクション情報を受信してトランザクションを処理し、処理結果メッセージを返信するステップ、
を備えることを特徴とするモバイル決済方法。
【請求項１２】
前記ＰＯＳレジスタが、受信した決済データと注文書データとを合わせてトランザクション情報を生成し、アクワイアラに送信することを特徴とする請求項１１に記載のモバイル決済システム。
【請求項１３】
請求項１〜７のいずれか１項に記載のモバイル決済情報処理装置を用いるか、または請求項８〜１０のいずれか１項に記載のモバイル決済システムを用いることを特徴とする請求項１１〜１２のいずれか１項に記載のモバイル決済方法。
【発明の詳細な説明】
【技術分野】
【０００１】
本発明はモバイル決済情報処理装置およびシステムに関し、特にモバイル決済情報変換装置およびモバイル決済方法ならびにシステムに関する。
【背景技術】
【０００２】
従来、オフライン決済はＰＯＳレジスタでカードを読み取ることにより完成され、モバイル決済は移動端末（通常は携帯電話）により完成されている。モバイル決済をオフラインで利用しようとすると、ほとんどの場合、ユーザは携帯の決済アプリ（ＡＰＰ）上の支払コードを提示しなければならず、売り手が支払コードをスキャンすることで完成する。
【発明の概要】
【発明が解決しようとする課題】
【０００３】
これまで、売り手が保有するＰＯＳレジスタおよびＥＲＰシステムでは、モバイル決済トランザクションを直接処理することはできず、両立させるためには、売り手は既存のハードウェア端末やレジ用ソフトウェアシステムをアップグレードして改修する必要があった。ハードウェア機器にバーコードリーダーを追加したり、あるいはカメラを備えたＰＯＳレジスタに交換したりするほか、売り手はさらに自社のレジシステムを変更し、ＰＯＳレジスタ上の徴収プログラムをアップグレードし、ＥＲＰシステムを更新する等の措置をとる必要がある。売り手が大手の場合、すべてを改修するには長い周期とコストが必要である。売り手が小規模であれば、最初から改修を諦め、モバイル用の徴収システムを別に１組増やすなど、他の方法を選ぶ可能性もあるが、このことは２組の徴収設備をセッティングし、かつ２組のシステム間の資金繰りに耐えねばならないことを意味する。
【課題を解決するための手段】
【０００４】
本発明は、従来のＰＯＳレジスタに、モバイル決済トランザクションを速やかに両立させる手段を提供するもので、当該手段は、従来の端末用プログラムを変更することなく、モバイル決済トランザクション情報とＰＯＳレジスタとの間における情報の変換および伝達の問題を解決する。
【０００５】
本発明の目的は、下記の技術手段により実現される。移動デバイスに設定した第三者支払アプリケーションモジュールにより、モバイル決済を立ち上げて、支払証明書（一次元コード、二次元コード、音響波信号、または赤外放射線等）を生成し、モバイル決済情報処理装置により支払証明書中のモバイル決済情報を磁気ストライプカード中の第２トラック情報に変換し、かつ第２トラック情報に対応するデジタル信号を形成し、デジタル信号を磁気パルス信号に変換してＰＯＳ端末に送信し、次いでＰＯＳ端末によりトランザクションを従来のアクワイアラに伝送する。アクワイアラは要求を受け取ると、このトランザクションを処理し、それを次へ送って最後に決済代行プラットフォーム（ウィチャットペイ、アリペイ、ベストペイ等）に伝送する。決済代行プラットフォームはトランザクションを処理した後、引き落とし結果をアクワイアラを経由してＰＯＳ端末に返送する。
【０００６】
本発明ではまた、その目的を実現するために、下記の技術手段を採用する。
【０００７】
モバイル決済情報処理装置は、データ受信装置、データ変換装置、および送信装置を備え、ここでデータ受信装置は、モバイル決済情報を受信して当該モバイル決済情報をデータ変換装置に送信し、データ変換装置は、モバイル決済情報をデジタル信号方式で送信装置に送信し、送信装置は、デジタル信号を磁気パルスに変換して送信する。
【０００８】
モバイル決済情報処理装置において、好適には、データ変換装置がモバイル決済情報を磁気ストライプカード情報に変換し、デジタル信号の形式で送信装置に送信する。
【０００９】
モバイル決済情報処理装置において、好適には、データ受信装置がデータインタフェースを備えて、データ取得装置により取得され送信されたモバイル決済情報を受信する。
【００１０】
モバイル決済情報処理装置において、好適には、データ受信装置がさらにデータ取得装置を備え、当該データ取得装置は、読込装置、音響波受信装置、カメラ、赤外信号受信器のうちの１以上の装置を備えてモバイル決済情報の取得用とし、データ取得装置はデータインタフェースを介してデータ変換装置と接続または通信する。データ取得装置は、データ受信装置に集積されるかまたは独立ユニットとする。
【００１１】
モバイル決済情報処理装置において、好適には、データ変換装置が変換制御モジュールを備え、ここで、変換制御モジュールはデータ受信装置が受信したモバイル決済情報をトラックフォーマットデータに変換し、当該データをデジタル信号として送信装置に送信する。
【００１２】
モバイル決済情報処理装置において、好適には、送信装置が駆動回路および送信コイルを備え、駆動回路は受信したデジタル信号により駆動電流を変調および増幅し、送信コイルは駆動回路が変調および増幅した電流の作用下で磁気信号を生成し、当該磁気信号を送信する。
【００１３】
モバイル決済情報処理装置において、好適には、当該モバイル決済情報処理装置がさらに信号処理装置を備え、当該信号処理装置は復調装置およびセキュアチップを備える。
【００１４】
モバイル決済情報処理装置において、好適には、音響波受信装置が、モバイル決済情報を含む音響波信号を受信した後、当該信号をデータインタフェースを介して復調装置に伝送し、復調装置は当該音響波信号を変調信号に復調してセキュアチップに出力し、セキュアチップは当該変調信号を復号して、得られたデータ源をデータ変換装置に出力する。
【００１５】
モバイル決済情報処理装置において、好適には、トラックフォーマットデータのデータフォーマットは以下のとおりである。
第１ビット目：スタート識別子「；」
２〜７ビット：６ビットのＢＩＮコード
８〜１６ビット：モバイル決済情報データの後ろ９ビット
１７ビット目：２〜１７ビットのデータチェックビット
１８ビット目：分離記号「＝」
１９〜２２ビット：４ビットの有効期間
２３〜２５ビット：サービスコード
２６〜１６＋Ｌビット：モバイル決済データの残りビット
１６＋Ｌ〜３８ビット：０を補う
３９ビット目：エンドマーク「？」
４０ビット目：データチェックビット
ここで、モバイル決済情報データのビット数がＬである。
【００１６】
モバイル決済システムは、本発明に係るいずれかのモバイル決済情報処理装置およびＰＯＳレジスタを備え、ＰＯＳレジスタは、モバイル決済情報処理装置が送信する磁気信号を受信する。
【００１７】
モバイル決済システムにおいて、好適には、当該システムはさらに移動端末、決済代行
プラットフォームおよびアクワイアラを備え、ここで、
移動端末上の決済代行プラットフォーム用アプリケーションモジュールが支払証明書を生成し、
モバイル決済情報処理装置が、移動端末から得た支払証明書中のモバイル決済データを読み取り、決済データを磁気信号に変換して送信し、
ＰＯＳレジスタは磁気信号を受信し、トランザクション情報を生成してアクワイアラに送信し、
アクワイアラは当該トランザクション情報を次へ送って最後に対応する決済代行プラットフォームに送信し、
決済代行プラットフォームはトランザクション情報を受信してトランザクションを処理し、処理結果メッセージを返信する。
モバイル決済システムにおいて、好適には、ＰＯＳレジスタが、受信した決済データと注文書データとを合わせてトランザクション情報を生成し、アクワイアラに送信する。
モバイル決済システムにおいて、好適には、当該システムはさらに移動端末、決済代行プラットフォームおよびアクワイアラを備え、ここで、
移動端末上の決済代行プラットフォーム用アプリケーションモジュールが、決済情報を含む音響波情報を生成し、
決済代行プラットフォームが、移動端末に音響波情報を送信し、
移動端末が、決済代行プラットフォームが送信する音響波情報を受信した後、音響波信号を出力し、
モバイル決済情報処理装置のデータ受信装置が、音響波情報を受信した後、当該信号を復調装置に伝送し、
復調装置が、音響波信号を変調信号に復調してセキュアチップに出力し、
セキュアチップは当該変調信号を復号し、得られたデータ源を変換制御モジュールに出力し、
変換制御モジュールが、当該データ源をトラックフォーマットデータに変換して当該データをデジタル信号形式で出力し、
送信装置は受信したデジタル信号により駆動電流を変調および増幅し、駆動コイルが磁気信号を生成して当該磁気信号をＰＯＳ端末に送信し、
ＰＯＳ端末は、受信した磁気信号中の決済データと注文書データとを合わせてトランザクション情報とし、アクワイアラにより決済代行プラットフォームに送信し、
決済代行プラットフォームは、トランザクション情報を受信してトランザクションを処理し、完了後に処理結果を返送する。
【００１８】
モバイル決済方法は、下記のステップを含む。
【００１９】
移動端末上の決済代行プラットフォーム用アプリケーションモジュールが、支払証明書を生成するステップ、
モバイル決済情報処理装置が、移動端末から得た支払証明書中のモバイル決済データを読み取り、当該決済データを磁気信号に変換して送信するステップ、
ＰＯＳレジスタが磁気信号を受信し、トランザクション情報を生成してアクワイアラに送信するステップ、
アクワイアラが当該トランザクション情報を次へ送って最後に対応する決済代行プラットフォームに送信するステップ、
決済代行プラットフォームがトランザクション情報を受信してトランザクションを処理し、処理結果メッセージを返信するステップ。
【００２０】
モバイル決済システムにおいて、好適には、ＰＯＳレジスタは、受信した決済データと注文書データとを合わせてトランザクション情報を生成し、アクワイアラに送信する。
【００２１】
モバイル決済方法は、下記のステップを含む。
【００２２】
移動端末上の決済代行プラットフォーム用アプリケーションモジュールが、決済情報を含む音響波情報を生成するステップ、
決済代行プラットフォームが移動端末に音響波情報を送信するステップ、
移動端末が、決済代行プラットフォームが送信する音響波情報を受信した後、音響波信号を出力するステップ、
モバイル決済情報処理装置のデータ受信装置が、音響波信号を受信した後、当該信号を復調装置に伝送するステップ、
復調装置が音響波信号を変調信号に復調して、セキュアチップに出力するステップ、
セキュアチップが当該変調信号を復号し、得られたデータ源を変換制御モジュールに出力するステップ、
変換制御モジュールが当該データ源をトラックフォーマットデータに変換し、当該データをデジタル信号形式で出力するステップ、
送信装置が、受信したデジタル信号により電流を変調および増幅し、駆動コイルが磁気信号を生成して当該磁気信号をＰＯＳ端末に送信するステップ、
ＰＯＳ端末が、受信した磁気信号中の決済データと注文書データとを合わせてトランザクション情報としてアクワイアラを介して次へ送って最後に決済代行プラットフォームに送信するステップ、
決済代行プラットフォームがトランザクション情報を受信してトランザクションを処理し、完了後に処理結果を返送するステップ。
【００２３】
モバイル決済方法において、当該方法は、本発明に係るいずれかのモバイル決済情報処理装置またはモバイル決済システムを用いる。
【図面の簡単な説明】
【００２４】
【図１】モバイル決済情報処理装置の構造概略図である。
【図２】モバイル決済方法システムの原理説明図である。
【図３】音響波信号を用いたモバイル決済方法システムの原理説明図である。
【図４】モバイル決済データのトラックフォーマットデータ変換を説明した図である。
【発明を実施するための形態】
【００２５】
以下、図面を参照し実施例を挙げ、本発明をさらに詳しく説明する。
【００２６】
図１に示すように、モバイル決済情報処理装置はデータ受信装置、データ変換装置および送信装置を備えている。データ受信装置は、モバイル決済情報を受信して当該決済情報をデータ変換装置に送信し、データ変換装置は、モバイル決済情報を従来の磁気ストライプカード情報に変換してデジタル信号方式で送信装置に送信し、送信装置は、デジタル信号を磁気パルス信号に変換して送信する。
【００２７】
データ受信装置はデータインタフェースを備え、データインタフェース（例えばＩ／Ｏインタフェース、ＵＳＢインタフェース、シリアルインタフェース、ブルートゥースインタフェース等）は、データ取得装置で得たモバイル決済情報を受信する。さらには、データ受信装置はデータ取得装置を備えていてもよく、当該データ取得装置は、読込装置、音響波受信装置（例えばマイクロホン）、カメラ、赤外信号受信器のうちの１以上の装置を備え、データ取得装置は、データインタフェースを介してデータ変換装置と接続または通信し（有線通信または無線通信）、データ取得装置は、データ受信装置に集積されるかまたは単独のデバイスとして存在させてもよい。
【００２８】
データ変換装置は変換制御モジュールを備えている。変換制御モジュールは、データ受信装置が受信したデータ（モバイル決済情報）を、標準的な第２のトラックフォーマットデータに変換し、デジタル信号方式で送信装置に送信する。
【００２９】
送信装置は駆動回路および送信コイルを備え、駆動回路は、受信したデジタル信号により駆動電流を変調および増幅し、送信コイルは、駆動回路が変調および増幅した電流の作用下に、高エネルギー磁気パルス信号を生成して当該磁気信号を送信する。この装置により磁気信号をＰＯＳレジスタに送信することができ、これによりＰＯＳレジスタがカードを読み取る動作をシミュレートすることで、トランザクションを継続してアクワイアラに伝送し最後に決済代行プラットフォームに送ることができ、モバイル決済からオフライン消費までが完成される。
【００３０】
図２は、本発明のモバイル決済システムを構成する構造概略図であり、従来のＰＯＳレジスタにモバイル決済トランザクションを速やかに両立させる本発明の実施の形態を示しており、当該モバイル決済システムは、モバイル決済情報処理装置、ＰＯＳレジスタを少なくとも備え、さらには、移動端末、決済代行プラットフォーム、アクワイアラをさらに備えていてもよい。
【００３１】
ユーザが買い物をする際には、まず移動端末上の決済代行プラットフォーム用アプリケーションモジュール（例えばアリペイ、ウィチャットペイ、ベストペイ、Ｂａｉｆｕｂａ、テンペイ、イーペイ等）により（移動端末のローカル側で生成しても、あるいは決済代行プラットフォーム用アプリケーションモジュールと遠隔決済代行プラットフォームのインタラクティブにより取得してもよい）支払証明書（一次元コード、二次元コード、決済データを含む赤外放射線または音響波等）を生成し、モバイル決済情報処理装置が、移動端末で得た支払証明書中のモバイル決済情報を読み取り、決済情報を磁気信号に変換して送信する。売り手のＰＯＳ端末は磁気信号を受信し、受信した決済データとレジシステムで生成された注文書データとを合わせてトランザクション情報を生成し、アクワイアラに送信する。アクワイアラは、トランザクション情報中の標識情報に基づき、それが決済代行トランザクションであることを判断し、対応する決済代行プラットフォームに送信する。決済代行プラットフォームはトランザクション要求を受信した後、トランザクションを処理し、完了後、応答返信する。標識情報は、モバイル決済情報処理装置が支払証明書情報を処理する際に加える、トランザクションのタイプを識別するための情報である。
【００３２】
本発明のモバイル決済システムにより上記トランザクションを完了することで、売り手は既存のオフライン決済チャネルや既存のＰＯＳ端末を交換したり改造したりすることなく、モバイル決済情報処理装置を１台増設するだけで、オンラインの決済代行プラットフォームに対し、オフライントランザクションを完成することができる。この方法により、トランザクションの勘定情報を磁気カード取引の形式で既存の照合システムにそのまま導入すれば、既存の照合システムを変更する必要がなく、照合コストが大きく削減される。
【００３３】
図３は、オンラインからオフライン決済に至る本発明の別の実施形態を示しており、当該方法では、音響波による決済を磁気ストライプカード読込による決済に変換しており、こうした決済方式を完成させるため、データ変換装置はさらに信号処理装置を備え、当該信号処理装置は復調装置およびセキュアチップを備えている。
当該方法の具体的なステップは以下のとおりである。
【００３４】
・音響波装置（例えば移動端末）上の決済代行プラットフォーム用アプリケーションモジュールをトリガして、決済情報を含む音響波情報を生成する。
・音響波装置のスピーカーを、モバイル決済情報処理装置のマイクロホンＭＩＣにアラインし、音響波信号を出力する。
・モバイル決済情報処理装置のマイクロホンが音響波信号を受信すると、当該信号をデータインタフェースを介して復調装置に伝送する。
・復調装置は、音響波信号を変調信号に復調してセキュアチップに出力する。
・セキュアチップにより復号し、データ源を変換制御モジュールに出力する。
・変換制御モジュールにより第２トラックに変換する方法で、元のデータを標準的な第２のトラックフォーマットデータに変換し、デジタル信号方式で出力する。
・送信装置は受信したデジタル信号により駆動電流を変調および増幅し、駆動コイルが第２のトラックフォーマットデータを含む高エネルギー磁気パルスを生成してＰＯＳ端末に送信する。
・ＰＯＳ端末は受信した決済データとレジシステムで生成された注文書データとを合わせてトランザクション情報として、アクワイアラにより次へ伝達し、最後に決済代行プラットフォームに送って処理する。
・決済代行プラットフォームはトランザクション要求を受け取って取引を処理し、完了後、応答を返信する。
【００３５】
上記２つの実施例において、変換制御モジュールは第２トラックに変換する方法で、元のデータ（モバイル決済情報）を標準的な第２のトラックフォーマットデータに変換しており、この変換方法の説明は下記のとおりである。
【００３６】
磁気カードは磁気記録媒体カードであって、合計３つのトラックを有する。トラック１は数字、アルファベット、および他の一部の符号を記録することができ、最大で７９の数字またはアルファベットを記録できる。トラック２および３に記録される文字は数字だけである。トラック２は最大で４０の文字を記録でき、トラック３は最大で１０７の文字を記録できる。アクワイアリングバンクの違いによって、送信が求められるトラックデータも異なっている（一般的な有効データは第２のトラックのデータのみを伝送すれば足りる）。この背景に基づき、本発明はバーコード（一次元コードまたは二次元コード等）データおよび音響波データを、第２のトラックフォーマットデータに変換することで、磁気ストライプカードの読み取りをシミュレートし、こうして異なるアクワイアリングバンクおよび異なるＰＯＳレジスタに適応して、より多くのトランザクションをカバーする。
【００３７】
第２トラックデータは、次の複数の部分、即ち、スタート識別子「；」、（模擬的な）銀行カードのカード番号（カードの種類により変更可能）、分離記号「＝」、有効期限、サービスコード、カスタムビット、エンドマーク「？」およびチェックビットから構成される。第２のトラックフォーマットに基づき、本発明に対応させて、モバイル決済データを第２のトラックフォーマットデータに変換する際の組成は、スタート識別子「；」、銀行カードのカード番号：受信したモバイル決済データを２つの部分ＡおよびＢに分け、ここでデータＡと、申請するカードのＢＩＮ番号（その取引が決済代行トランザクションであることの識別用）と、チェックビットとは、銀行カードのカード番号を構成する、分離記号「＝」、有効期限：加盟店が設定してもよい、サービスコード：加盟店が設定してもよい、カスタムビット：データＢがカスタムビットに充当する、エンドマーク「？」、およびチェックビットである。
【００３８】
図４は、モバイル決済データをトラックフォーマットデータに変換する本発明の静的方法の１つを概略的に示している。この方法では、モバイル決済データを固定した２つの部分に直接分割し、その後、他のデータとともに第２のトラックフォーマットデータに構成する。この静的変換方法は以下のステップを含む。
【００３９】
まず、カード発行バンクが設定したＢＩＮ番号を取得し、そのトランザクションが決済代行トランザクションであることを標識する。
【００４０】
データ組成は下記を含むがこれらに限定されない。
・第１ビット：スタート識別子「；」
・２〜７ビット：６ビットのＢＩＮコード
・８〜１６ビット：モバイル決済データの後ろの９ビット（Ｔｏｋｅｎ２）
・１７ビット：ＢＩＮおよびＴｏｋｅｎ２のデータチェックビット
・１８ビット：分離記号「＝」
・１９〜２２ビット：４ビットの有効期間ＹＹＭＭ、例：４９１２（１９４９年１２月）・２３〜２５ビット：サービスコード（カード種類の区別：そのカードが磁気ストライプカードかチップカードかを区別するためのもの）
・２６〜１６＋Ｌビット：モバイル決済データの残りビットＬ−９（Ｔｏｋｅｎ１）
・１６＋Ｌ〜３８ビット：０を補う
・３９ビット：エンドマーク「？」
・４０ビット：データチェックビット（前の３９ビットをチェックする）
【００４１】
本発明により、買い手（加盟店）は簡単な設備であるモバイル決済情報処理装置を増設するだけで、ＰＯＳレジスタのカード読み取りをシミュレートした、決済代行によるトランザクション情報の処理を実現することができ、買い手（顧客）は特殊な移動端末を使用する、あるいは何らかのソフト、ハードウェアの導入を追加する必要がなくなる。本発明の技術手段を用いることで、バーコード、音響波、赤外放射線等を含む複数のモバイル決済方式を受付ることができる。適用範囲が広く、融通性が高い。同時に本発明は、ＰＯＳ端末によるモバイル決済の受付レベルを大きく向上させ、これによりモバイル決済の発展を促し、また顧客は複数のカードを携帯しなくてもよく、カードを紛失するリスクが回避される。
【図１】
2018124995.tif 000003
【図２】
2018124995.tif 000004
【図３】
2018124995.tif 000005
【図４】
2018124995.tif 000006
【外国語明細書】
2018124995000001.pdf